(57)【特許請求の範囲】
【請求項１】
建築物の外壁面側に設けた対向する２つの挿通孔を有する支持部材と、挿通孔のそれぞれに取り付けることができる取付片部を備えた目隠しパネルと、一方の取付片部に備えた、一方の挿通孔に挿通できる取付軸部と、他方の挿通孔と連なる所定長さの筒状部材と、他方の取付片部に備えた取付孔と筒状部材とに挿通する固定具と、を備えた目隠しパネル固定構造。
【請求項２】
目隠しパネルは、背面側に支持部材の先端部に当接する当接部を備えた請求項１に記載の目隠しパネル固定構造。
【請求項３】
目隠しパネルは、両端面側から背面側に延びる隠蔽片部を備え、隠蔽片部と取付片部との間に支持部材の先端部が納まるようにした請求項１又は２に記載の目隠しパネル固定構造。
【請求項４】
固定具又は取付軸部は、先端部に抜け防止ピンを装着した請求項１〜３のいずれかに記載の目隠しパネルの固定構造。
【請求項５】
建築物の外壁面側に設けた対向する２つの挿通孔を備えた支持部材と、挿通孔のそれぞれに取り付けできる取付片部を備えた目隠しパネルと、を用いた目隠しパネルの固定方法であって、
一方の挿通孔に一方の取付片部に備えた取付軸部を挿通し、他方の挿通孔に所定長さの筒状部材を同心状に配した後、他方の取付片部に備えた取付孔と筒状部材とに固定具を挿通する、目隠しパネルの固定方法。
【請求項６】
目隠しパネルの背面側に支持部材の先端部に当接する当接部を備え、
当接部を支持部材の先端部に当接させながら目隠しパネルを支持部材に固定する、請求項５に記載の目隠しパネルの固定方法。
【請求項７】
目隠しパネルの両端面側から背面側に延びる隠蔽片部を備え、隠蔽片部と取付片部との間に支持部材の先端部を納めながら目隠しパネルを支持部材に固定する、請求項５又は６に記載の目隠しパネルの固定方法。
【請求項８】
固定具又は取付軸部の先端部に抜け防止ピンを装着する請求項５〜７のいずれかに記載の目隠しパネルの固定方法。
【発明の詳細な説明】
【技術分野】
【０００１】
本発明は、建築物の外壁面に配置し、建屋内部の目隠しなどをすることができる目隠しパネルの固定構造及び固定方法に関する。
【背景技術】
【０００２】
マンション、ビルなどの建築物の外壁面には目隠しパネルやルーバーが配置されていることがあり、陽射しを遮り、外部から内部を視認しにくくし、また、外観を美しく見せたりすることなどができる。
【０００３】
例えば、下記特許文献１には、多段ルーバーを構成するルーバー羽体であって、２以上の羽体構成部材をスライド嵌合により接合して羽体本体を構成することができるルーバー羽体が示され、ルーバー羽体の大きさ及び形状を自在に変化させることができるようにしてある。
【０００４】
また、下記特許文献２には、四隅に締結孔を形成し、この締結孔に、膨頭部が裏側に位置するように締結部材を挿し通してある矩形板状の目隠しパネルと、表側にリップ溝を形成してある取付ブラケットとを備え、前記取付ブラケットを、リップ溝を横向きにして適宜箇所に配し、前記膨頭部をリップ溝内に挿入して固定できる目隠しパネルの固定構造が示され、目隠しパネルを容易に取り付けできるようにしてある。
【先行技術文献】
【特許文献】
【０００５】
【特許文献１】特開２００２−２８５６８６号公報
【特許文献２】特開２００８−２８０７１７号公報
【発明の概要】
【発明が解決しようとする課題】
【０００６】
ルーバーや目隠しパネルは、例えば、工場にて組み立てて出荷し、外壁面側に固定することが行われているが、運搬などに労力を要するため、現場にて一人でも組み立て固定できることが望ましい。
しかし、上記特許文献１に示されたルーバー羽体は、長尺であるものが多く、両側の側端面を支持部材に固定するには、一人では固定作業がしづらいものである。また、上記特許文献２に示された目隠しパネルは、正面側から固定しやすいように改良してあるが、各リップ溝に四隅の各膨頭部を挿入して固定しなければならず、やはり一人では扱い難いものであった。
【０００７】
そこで、本発明の目的は、目隠しパネルを簡単に固定できるようにした目隠しパネルの固定構造及び目隠しパネルの固定方法を提供することにある。
【課題を解決するための手段】
【０００８】
本発明の一実施形態の目隠しパネルの固定構造は、建築物の外壁面側に設けた対向する２つの挿通孔を有する支持部材と、挿通孔のそれぞれに取り付けることができる取付片部を備えた目隠しパネルと、一方の取付片部に備えた、一方の挿通孔に挿通できる取付軸部と、他方の挿通孔と連なる所定長さの筒状部材と、他方の取付片部に備えた取付孔と筒状部材とに挿通する固定具と、を備えたことを特徴とする。
【０００９】
上記形態の目隠しパネルの固定構造は、一方の取付片部の取付軸部を一方の支持部材の挿通孔に挿通し、次に、他方の取付片部の取付孔と他方の支持部材の挿通孔に固定具を挿通して固定することにより、目隠しパネルを支持部材に取り付けることができ、簡単に目隠しパネルを固定できる。また、筒状部材を設けることにより目隠しパネルの位置決めがしやすくなる。
【００１０】
上記形態の目隠しパネルの固定構造は、目隠しパネルの背面側に支持部材の先端部に当接する当接部を備えることができる。このようにすることにより、前後方向の位置決めがしやすくなる。
【００１１】
上記形態の目隠しパネルの固定構造は、目隠しパネルの両端面側から外壁面に向かい延びる隠蔽片部を備え、隠蔽片部と取付片部との間に支持部材の先端部が納まるようにすることができる。このようにすることにより、支持部材が外側から視認しづらくなり、美感的に優れたものになる。
【００１２】
上記形態の目隠しパネルの固定構造は、固定具又は取付軸部の先端部に抜け防止ピンを装着することができる。このようにすることにより、支持部材から目隠しパネルが外れにくくなり、脱落することを防止できる。
【００１３】
本発明の別の形態として、建築物の外壁面側に設けた対向する２つの挿通孔を備えた支持部材と、挿通孔のそれぞれに取り付けできる取付片部を備えた目隠しパネルと、を用いた目隠しパネルの固定方法であって、一方の挿通孔に、一方の取付片部に備えた取付軸部を挿通し、他方の挿通孔に所定長さの筒状部材を同心状に配した後、他方の取付片部に備えた取付孔と筒状部材とに固定具を挿通する、目隠しパネルの固定方法を提供する。
【図面の簡単な説明】
【００１４】
【図１】本発明の一実施形態の目隠しパネルの固定構造において、目隠しパネルの一例を示し、（Ａ）は正面側斜視図、（Ｂ）は背面側斜視図、（Ｃ）は平面図である。
【図２】図１の形態において、（Ａ）は支持部材を建築物の外壁面側に配した状態の一例を示し、（Ｂ）は挿通孔付近を拡大した図である。
【図３】図１の形態において、固定具の一例を示した斜視図である。
【図４】図１の形態において、目隠しパネルの固定方法を説明するための図である。
【図５】図１の形態において、複数の目隠しパネルを配列した状態を示した図である。
【発明を実施するための形態】
【００１５】
以下、本発明の一実施形態の目隠しパネルの固定構造を説明する。但し、本発明は、この実施形態に限定されるものではない。
【００１６】
本発明の一実施形態の目隠しパネルの固定構造は、図１〜図４に示すように、目隠しパネル１と、支持部材２と、筒状部材３と、固定具４とを用いる。
【００１７】
目隠しパネル１は、建築物の外壁面６を被覆するものであり、本実施形態では、図１に示すように、正面視において正方形乃至長方形状であり、左右幅の中心線付近が正面側に膨出した湾曲板状に形成してあり、左右対称形状に形成してある。目隠しパネル１の大きさは、特に限定するものではないが、幅１０ｃｍ〜４０ｃｍ程、高さ１０ｃｍ〜１００ｃｍ程に形成し、一人でも取り扱えることができる程度の大きさが好ましい。
【００１８】
目隠しパネル１は、パネル板１１と、取付片部１２と、隠蔽片部１３と、当接部１４とを備える。
パネル板１１は、建築物の外壁面６を被覆して建屋内部を隠蔽などするためのものであり、表面側に模様を施すなど造形処理をしてもよい。
【００１９】
取付片部１２は、目隠しパネル１を支持部材２に取り付けるためのものであり、本実施形態では、パネル板１１の背面側に高さ方向沿いに設けてあり、パネル板１１の左右各端部付近から上面視においてパネル中心線側に膨出する湾曲板状に形成してある。本実施形態では、取付片部１２を湾曲板状に形成してあるが、これに限定するものではなく、例えば、平板板状に形成してもよい。
一方の取付片部１２には、高さ方向中間付近に横方向にパネル外側に向く円柱状の取付軸部１５が設けてあり、他方の取付片部１２には、高さ方向中間付近に円形状の取付孔１６が設けてある。本実施形態では、取付軸部１５はボルトナットから形成してあり、取付軸部１５の軸線は、取付孔１６の中心を通るように同一高さに形成してある。取付軸部１５の長さは、後述するように目隠しパネル１を支持部材２に固定する場合、挿通孔２１から脱落しない適宜長さにすることができる。
【００２０】
隠蔽片部１３は、目隠しパネル１と支持部材２との取付部分を隠すために設けてあり、本実施形態では、パネル板１１の背面側に高さ方向沿いに設け、パネル板１１の左右各端部付近から上面視においてパネル外側に膨出する湾曲板状に形成してある。パネル板１１と隠蔽片部１３とは、滑らかに連ならせて一体的に形成してある。隠蔽片部１３と取付軸部１５の先端部との隙間（図１（Ｃ）の寸法Ｘ）は、支持部材２が挿入できる幅とする。また、取付片部１２と隠蔽片部１３との先端部の開口幅は、後述するように目隠しパネル１を支持部材２に固定する場合、目隠しパネル１が移動できる適宜幅にすることができる。
【００２１】
当接部１４は、目隠しパネル１と支持部材２との前後方向の位置合わせをしやすくするために設けてあり、本実施形態では、パネル板１１の背面側に高さ方向沿いに設け、パネル板１１の左右各端部付近から背面側に突出する上面視断面Ｔ字状に形成してあり、両当接部１４は同じ突出幅としてある。
当接部１４は、取付片部１２及び隠蔽片部１３の間に納まるように形成してあり、取付片部１２、隠蔽片部１３及び当接部１４は、上面視において左右対称形状に形成してある。
【００２２】
支持部材２は、目隠しパネル１を固定するためのものであり、本実施形態では、支持部材２は、図２に示すように、縦方向に伸びる長尺薄板状としてあり、少なくとも２つ並列させて対向する２つの挿通孔２１を有するように形成してある。支持部材２は先端部側を幅狭とし、後端部側を幅広とした段状に形成してある。各支持部材２の先端部側には高さ方向に適宜間隔で円形状の挿通孔２１が設けてある。複数の目隠しパネル１を配列する場合は、支持部材２を複数並列させて対向する２つの挿通孔２１を複数箇所有するようにすることが好ましい。
支持部材２は、外壁面６の表面側に横方向に所定間隔で配し、縦方向に並列するように配して形成してある。各支持部材２の後端部側を、建築物の外壁面６などにＬ型金具７などを用いて固定し、対向する挿通孔２１が同じ高さになるように配してある。本実施形態では、支持部材２は外壁面６に直接固定してあるが、外壁面６と適宜間隔を設けて支柱などを配し、それに固定してもよい。
支持部材２の先端部２２は、平面状に形成し、目隠しパネル１の当接部１４が当接するように形成してある。本実施形態では、先端部２２を平面状に形成してあるが、これに限定されるものではなく、例えば、先端部２２にＲを設けた曲面状にしてもよい。
【００２３】
筒状部材３は、目隠しパネル１の左右方向の位置決めをしやすくするために設けてあり、本実施形態では、所定長さの円筒状に形成してあり、目隠しパネル１を支持部材２に固定した際、上面視において支持部材２が取付片部１２及び隠蔽片部１３の中心線上に位置させる長さとしてある。筒状部材３は、挿通孔２１と連続するように設けることができ、支持部材２と一体又は別体として設けることができる。別体とする場合は、支持部材２に固着できるように形成し、例えば、嵌合固定や磁着できるようにすることなどが好ましい。筒状部材３の一端部側を小径の円柱状に形成し、挿通孔２１に嵌合できるようにしてある。また、例えば、筒状部材３の一端部側を四角柱状に形成し、図２（Ｂ）に示すように、挿通孔２１周囲を四角形状に窪ませて嵌合できるようにしてもよい。
【００２４】
固定具４は、目隠しパネル１を支持部材２に固定するためのものであり、本実施形態では、ボルト４ａ及びナット４ｂを用いて締結固定できるようにしてある。
固定具４は、他方の取付片部１２の取付孔１６と、筒状部材３と、支持部材２の挿通孔２１とに挿通できるようにしてあり、これらに挿通した後に締結固定できる。
【００２５】
固定具４又は取付軸部１５の先端部には抜け防止ピン５を設けることもできる。これにより、目隠しパネル１が支持部材２から脱落することを防止できる。本実施形態では、図３に示すように、固定具４の先端部に半径方向に孔４１を設け、この孔に抜け防止ピン５を挿入してある。抜け防止ピン５は、金属などからなる線材を折り曲げて形成してあり、弾性力により装着後は外れないようにしてある。
【００２６】
以下、目隠しパネル１と支持部材２との固定方法の一例を示す。
まず、図４（Ａ）に示すように、支持部材２を外壁面６に横方向に適宜間隔で配し、縦向きに並行に固定する。次に、目隠しパネル１を、図４（Ｂ）に示すように、支持部材２の正面側から取り付け、支持部材２間に両取付片部１２を配する。目隠しパネル１の取付軸部１５を一方の支持部材２の挿通孔２１に挿通し、目隠しパネル１を一方向に移動させて図４（Ｃ）に示すように、取付軸部１５を基端まで挿通孔２１に挿し込む。その状態のまま、図４（Ｄ）に示すように、筒状部材３を他方の支持部材２の挿通孔２１に固着する。目隠しパネル１を、図４（Ｅ）に示すように、他方の取付片部１２が筒状部材３に接するまで反対方向に移動させる。固定具４のボルト４ａを取付孔１６、筒状部材３及び他方の支持部材２の挿通孔２１に挿通し、目隠しパネル１の側面側からナット４ｂを締結して目隠しパネル１を支持部材２に固定できる。
【００２７】
この際、当接部１４が支持部材２の先端部２２上を摺れるように移動させれば、目隠しパネル１の前後方向の位置決めがしやすくなる、そのため、当接部１４を備えることが好ましい。
【００２８】
このように、目隠しパネル１は、本実施形態では、左右方向に移動させて固定することができ、簡単に固定できるものである。
【００２９】
固定具４又は取付軸部１５の先端部には、抜け防止ピン５を装着することもでき、このようにすれば、目隠しパネル１が支持部材２から脱落することを防止できる。
【００３０】
複数の目隠しパネル１を、図５に示すように、市松模様状に配した構造などにすることなどもでき、外壁面６上に種々のデザインを施すこともできる。
【００３１】
目隠しパネル１の左右端部側には隠蔽片部１３が設けてあるため、外側から支持部材２が隠れて見えにくく、外観からの美感が優れたものになる。さらには、一方の取付片部１２のみを支持部材２に締結固定してあるので、夏の陽射しなどにより熱膨張による伸びを吸収することができる。
【００３２】
上記実施形態の構成態様は、本発明を限定するものとして挙げたものではなく、技術目的を共通にするかぎり変更は可能であり、本発明はそのような変更を含むものである。
【符号の説明】
【００３３】
１  目隠しパネル
１１  パネル板
１２  取付片部
１３  隠蔽片部
１４  当接部
１５  取付軸部
１６  取付孔
２  支持部材
２１  挿通孔
２２  先端部
３  筒状部材
４  固定具
４ａ  ボルト
４ｂ  ナット
４１  孔
５  抜け防止ピン
６  外壁面
７  Ｌ型金具
【要約】
【課題】目隠しパネルを簡単に固定できるようにした目隠しパネルの固定構造を提供する。
【解決手段】目隠しパネル固定構造は、建築物の外壁面６側に設けた対向する２つの挿通孔２１を有する支持部材２と、挿通孔２１のそれぞれに取り付けることができる取付片部１２を備えた目隠しパネル１と、一方の取付片部１２に備えた、一方の挿通孔２１に挿通できる取付軸部１５と、他方の挿通孔２１と連なる所定長さの筒状部材３と、他方の取付片部１２に備えた取付孔１６と筒状部材３とに挿通する固定具４と、を備えたことを特徴とする。
【選択図】図３【図１】
0006001736.tif 000002
【図２】
0006001736.tif 000003
【図３】
0006001736.tif 000004
【図４】
0006001736.tif 000005
【図５】
0006001736.tif 000006